(57)【要約】【課題】面材の開閉が円滑に実施できる建具を提供すること。【解決手段】軸部２２に回転自在に取り付けたローラー部２３を介して障子からの鉛直力が下レール５に伝達され、この鉛直力を支持したローラー部２３が障子の開閉に伴って回転することで、ローラー部２３が下レール５に引っ掛かることなく円滑にスライド移動できる。そして、障子からの鉛直力をローラー部２３が支持しているので、スライド部２４が鉛直力を負担せず、スライド部２４と案内溝５４との摩擦抵抗を小さくすることができ、このスライド部２４によってスムーズに案内して障子の開閉移動を確実かつ円滑に実施することができる。【選択図】図５
2008267098.tif 000002
【特許請求の範囲】
【請求項１】
面材と、当該面材を案内する下レールとを備えた建具であって、
前記面材の下部には、前記下レールに設けられた案内溝に案内されて当該下レールの長手方向にスライド移動自在に支持される案内部材が設けられ、
前記案内部材は、前記面材から下方に突出して設けられた軸部と、この軸部に回転自在に取り付けられて前記案内溝の底面部に摺接可能なローラー部と、前記軸部に取り付けられて少なくとも前記案内溝の側面部に摺接可能なスライド部とを有して構成されている建具。
【請求項２】
前記案内溝と前記スライド部との間には、前記面材に作用する見込み方向の力に対して当該案内溝からの当該スライド部の抜け出しを防止する抜出し防止機構が設けられている請求項１に記載の建具。
【請求項３】
前記案内溝は、互いに見込み方向に対向する一対のレール側面部と、これら一対のレール側面部の下端部間に位置するレール底面部とを有して上方に開口した溝状に形成され、前記一対のレール側面部には、互いに近づく方向に突出した一対の突出片が前記下レールの長手方向に連続して設けられ、
前記スライド部の一対の側面部には、それぞれスライド方向に沿って形成されて前記突出片を挿通させる一対のスライド溝が形成され、
前記スライド溝に前記突出片を挿通させた状態において、前記案内溝に対する前記スライド部の上方への移動を規制することで、前記抜出し防止機構が構成されている請求項２に記載の建具。
【請求項４】
前記スライド部には、前記スライド溝に挿通された前記突出片を挟持することで当該スライド部のスライド移動を規制する規制部材が設けられている請求項３に記載の建具。
【請求項５】
前記案内溝は、互いに見込み方向に対向する一対の第１レール側面部と、これら一対の第１レール側面部に対して内方に延びる一対の第１レール底面部と、これら一対の第１レール底面部よりも下方に延びかつ互いに対向する一対の第２レール側面部と、これら一対の第２レール側面部の下端部間に位置する第２レール底面部と、から前記下レールの長手方向に沿って断面下向き凸状に形成され、
前記スライド部は、前記第１レール側面部に対向配置される一対の第１スライド側面部と、前記第１レール底面部に摺接支持される一対の第１スライド底面部と、前記第２レール側面部に対向配置される一対の第２スライド側面部と、前記第２レール底面部の上側に対向配置される第２スライド底面部と、から断面下向き凸状に形成され、
前記面材に見込み方向の力が作用した際に、前記一対の第１スライド側面部のうちの一方が前記第１レール側面部に当接するとともに、前記一対の第２スライド側面部のうちの他方が前記第２レール側面部に当接することで、前記抜出し防止機構が構成されている請求項２に記載の建具。
【請求項６】
前記案内溝の底面部には、前記ローラー部と摺接する少なくとも１本の突条が設けられている請求項１から請求項５のいずれかに記載の建具。
【請求項７】
前記軸部には、径寸法が小さく形成された縮径部が設けられ、前記スライド部には、前記縮径部に係合する係合部が設けられている請求項１から請求項６のいずれかに記載の建具。
【請求項８】
前記面材は、折り畳み自在に連結された一対の面材から構成され、
前記スライド部は、前記軸部に対して回動自在に取り付けられている請求項１から請求項７のいずれかに記載の建具。
【発明の詳細な説明】
【技術分野】
【０００１】
本発明は、面材と、当該面材を案内する下レールとを備えた建具に関する。
【背景技術】
【０００２】
従来、建具において、その面材（パネル）下端を下レールの長手方向に沿って案内する案内具が提案されている（例えば、特許文献１参照）。
特許文献１に記載された建具では、上方に開口した断面略コ字形でかつ開口端縁が内側に折り曲げられた折返し片を有して下レールが形成されている。そして、案内具は、下レール内に挿入されてスライド自在に支持されるスライダと、このスライダに下端が連結されかつ上端がパネル下部に連結されるロッドとを有して構成されている。このロッドは、取付ブロックを介してパネルに支持され、取付ブロックに対して回動自在かつ下方に付勢された状態で取り付けられている。一方、スライダは、ロッドの軸部を受け入れる溝部、およびロッド下端に固定された連結片（鍔部）を受け入れる隙間を有するとともに、連結片を受け入れる際に弾性変形しかつ受け入れ後に連結片を係止する弾性片を有して構成されている。
【０００３】
【特許文献１】実公平７−３４１１９号公報
【発明の開示】
【発明が解決しようとする課題】
【０００４】
しかしながら、特許文献１に記載されたような従来の下レールおよび案内具では、下レール内に挿入されたスライダがロッドの下端部に連結され、ロッドから作用する鉛直力がスライダを介して下レールに伝達されるようになっている。このため、スライダと下レールとの摩擦抵抗が大きくなり、スライダが安定して下レール内を走行できず、スライダが下レールに引っ掛かるなどの不具合が生じ、円滑な建具の開閉に支障をきたす可能性がある。
【０００５】
本発明の目的は、面材の開閉が円滑に実施できる建具を提供することにある。
【課題を解決するための手段】
【０００６】
本発明の建具は、面材と、当該面材を案内する下レールとを備えた建具であって、前記面材の下部には、前記下レールに設けられた案内溝に案内されて当該下レールの長手方向にスライド移動自在に支持される案内部材が設けられ、前記案内部材は、前記面材から下方に突出して設けられた軸部と、この軸部に回転自在に取り付けられて前記案内溝の底面部に摺接可能なローラー部と、前記軸部に取り付けられて少なくとも前記案内溝の側面部に摺接可能なスライド部とを有して構成されていることを特徴とする。
【０００７】
ここで、本発明の建具における面材としては、上下左右の框によって四周枠組みされた内部にパネルを有したものでもよく、単にパネルから構成されたものでもよく、つまり面材としては、空間を仕切る部材であればよい。
【０００８】
以上の本発明によれば、軸部に回転自在に取り付けたローラー部を案内溝の底面部に摺接させることで、面材からの鉛直力をローラー部を介して下レールに伝達できるとともに、鉛直力を支持したローラー部が面材の開閉に伴って回転することで、ローラー部が下レールに引っ掛かることなく円滑にスライド移動できる。そして、面材からの鉛直力をローラー部が支持することで、軸部に取り付けたスライド部が鉛直力を負担する必要がなくなるため、スライド部と下レールの案内溝との摩擦抵抗を小さくすることができ、このスライド部によってスムーズに案内して面材の開閉移動を確実かつ円滑に実施することができる。
【０００９】
この際、本発明の建具では、前記案内溝と前記スライド部との間には、前記面材に作用する見込み方向の力に対して当該案内溝からの当該スライド部の抜け出しを防止する抜出し防止機構が設けられていることが好ましい。
このような構成によれば、面材に見込み方向の力が作用した場合でも、抜出し防止機構により案内溝からのスライド部の抜け出しを防止し、案内部材の案内溝からの脱落（脱輪）を確実に防止することができる。
【００１０】
さらに、本発明の建具では、前記案内溝は、互いに見込み方向に対向する一対のレール側面部と、これら一対のレール側面部の下端部間に位置するレール底面部とを有して上方に開口した溝状に形成され、前記一対のレール側面部には、互いに近づく方向に突出した一対の突出片が前記下レールの長手方向に連続して設けられ、前記スライド部の一対の側面部には、それぞれスライド方向に沿って形成されて前記突出片を挿通させる一対のスライド溝が形成され、前記スライド溝に前記突出片を挿通させた状態において、前記案内溝に対する前記スライド部の上方への移動を規制することで、前記抜出し防止機構が構成されていることが好ましい。
このような構成によれば、案内溝に設けた突出片によって上方への移動を規制することでスライド部の抜け出しを防止し、案内部材の案内溝からの脱落を防止することができる。
【００１１】
この際、本発明の建具では、前記スライド部には、前記スライド溝に挿通された前記突出片を挟持することで当該スライド部のスライド移動を規制する規制部材が設けられていることが好ましい。
このような構成によれば、規制部材で突出片を挟持してスライド部のスライド移動を規制することで、所定の面材の下部をスライド移動不能に支持することができ、共通の案内部材を用いてスライド可能およびスライド不能のいずれかの支持形態を変更することができる。
【００１２】
また、本発明の建具では、前記案内溝は、互いに見込み方向に対向する一対の第１レール側面部と、これら一対の第１レール側面部に対して内方に延びる一対の第１レール底面部と、これら一対の第１レール底面部よりも下方に延びかつ互いに対向する一対の第２レール側面部と、これら一対の第２レール側面部の下端部間に位置する第２レール底面部と、から前記下レールの長手方向に沿って断面下向き凸状に形成され、前記スライド部は、前記第１レール側面部に対向配置される一対の第１スライド側面部と、前記第１レール底面部に摺接支持される一対の第１スライド底面部と、前記第２レール側面部に対向配置される一対の第２スライド側面部と、前記第２レール底面部の上側に対向配置される第２スライド底面部と、から断面下向き凸状に形成され、前記面材に見込み方向の力が作用した際に、前記一対の第１スライド側面部のうちの一方が前記第１レール側面部に当接するとともに、前記一対の第２スライド側面部のうちの他方が前記第２レール側面部に当接することで、前記抜出し防止機構が構成されていてもよい。
【００１３】
このような構成によれば、一方の第１スライド側面部が第１レール側面部に当接し、他方の第２スライド側面部が第２レール側面部に当接することで、面材に作用する見込み方向の力に抵抗することができ、スライド部の抜け出しを防止して案内部材の案内溝からの脱落を防止することができる。すなわち、スライド部が断面下向き凸状に形成されているので、一方の第１スライド側面部から他方の第２スライド側面部までの見込み寸法が小さくなって、一方の第１スライド側面部と第１レール側面部との当接位置から、他方の第２スライド側面部下端位置までの俯角の角度が大きくなることから、面材に面外方向（下レールの見込み方向）から力が作用した場合にスライド部が案内溝から抜け出しにくくでき、下レールが上方に開口していても、下レールから面材が外れることが防止できる。
【００１４】
また、本発明の建具では、前記案内溝の底面部には、前記ローラー部と摺接する少なくとも１本の突条が設けられていることが好ましい。
このような構成によれば、案内溝の底面部に設けた突条にローラー部が摺接することで、ローラー部と案内溝との摺接面積を小さくして、摺接抵抗を低減させることができ、面材の開閉移動をより円滑に実施することができる。
【００１５】
さらに、本発明の建具では、前記軸部には、径寸法が小さく形成された縮径部が設けられ、前記スライド部には、前記縮径部に係合する係合部が設けられていることが好ましい。
このような構成によれば、軸部の縮径部にスライド部の係合部を係合させることで、軸部に対するスライド部の上下移動を規制することができ、軸部を介してスライド部まで面材に作用した見込み方向の力を確実に伝達することができ、面材への見込み方向の力に対する案内部材の抜け出し抵抗力を向上させることができる。
【００１６】
また、本発明の建具では、前記面材は、折り畳み自在に連結された一対の面材から構成され、前記スライド部は、前記軸部に対して回動自在に取り付けられていることが好ましい。
ここで、本発明の建具としては、一対の面材が開閉可能に構成された折戸が例示できる。この際、一対の面材を一組み有したものであってもよく、さらに一対の面材を二組み以上の複数組み有したものであってもよい。
このような構成によれば、面材のスライド開閉時におけるスライド部と下レールの案内溝との摩擦抵抗を小さくしつつ、スライド開閉かつ回動開閉可能な面材を構成することができる。
【発明を実施するための最良の形態】
【００１７】
〔第１実施形態〕
以下、本発明の第１実施形態を図面に基づいて説明する。
図１は、本発明の第１実施形態に係る建具である折戸１を示す縦断面図である。図２および図３は、それぞれ折戸１の横断面図であり、図２は、折戸１を閉じた状態を示し、図３は、折戸１を開放した状態を示すものである。
図１〜図３において、折戸１は、天井２、床３および左右の壁（不図示）で囲まれた開口部に設けられて空間を左右に仕切るものであって、天井２位置に設けられた上枠４と、床３の床面材３Ａに埋設して設けられた下レール５と、壁に設けられた左右の縦枠６と、上枠４および下レール５に開閉支持される４枚の面材としての障子１０とを備えて構成されている。４枚の障子１０は、それぞれ一対の障子１０が二組みで構成され、各組の一対の障子１０同士が互いに連結され、連結位置で折れ曲がりつつ開閉されるようになっている。
【００１８】
上枠４には、長手方向に延びて下方に開口した上レール４Ａが形成されている。そして、上レール４Ａには、長手方向に転動自在なローラー４Ｂが支持され、このローラー４Ｂには、下方に延びるロッドが連結され、このロッドを介して障子１０が上枠４に吊り下げ支持されている。
また、縦枠６は、壁に沿って上下に延びて取り付けられており、この縦枠６には、障子１０の縦框１３と磁着して障子１０の移動を規制する磁着部６Ａが設けられている。
【００１９】
障子１０は、上框１１、下框１２、および左右の縦框１３を四周框組みした内部にパネル１４を嵌め込んで形成されており、図２に示すように、４枚の障子１０が一直線上に並んだ全閉位置と、図３に示すように、各組２枚の障子１０が連結位置で折れ曲がった全開位置との間を左右スライド移動かつ回動可能になっている。なお、障子１０の全開位置としては、図３に示すように、各組の障子１０が左右の縦枠６側に引き分けた状態に限らず、二組み４枚の障子１０が左右いずれか一方の縦枠６側に片寄せした状態であってもよい。
【００２０】
一対の障子１０は、互いに隣接する一方の側端縁である縦框１３Ａ同士が連結部材１５を介して回動自在に連結されている。また、一対の障子１０の他方（つまり縦框１３Ａと反対側）の側端縁である縦框１３Ｂにおいて、その上端位置に前記ローラー４Ｂから延びるロッドが回動自在に連結され、縦框１３Ｂの下端位置には、下レール５に左右スライド自在かつ回動自在に案内される案内部材２０が設けられている。この案内部材２０は、縦框１３Ｂの下端部に固定される固定部２１と、この固定部２１に支持されて障子１０の下端縁から下方に突出した軸部２２と、この軸部２２の先端に回転自在に連結されたローラー部２３と、軸部２２に回動自在に連結されたスライド部２４とを有して構成されている。そして、軸部２２は、図示を省略するばね（付勢手段）によって固定部２１に対して下方に付勢され、このばねの付勢力に相当する荷重の分だけ障子１０の重量が軸部２２およびローラー部２３を介して下レール５に支持されるようになっている。
【００２１】
以下、下レール５および案内部材２０について、図４〜図７も参照して詳しく説明する。
図４は、下レール５および案内部材２０を示す平面図である。図５および図６は、下レール５および案内部材２０を示す縦断面図であり、図５は、図４に矢視Ｖ−Ｖ線で示す断面図であり、図６は、図４に矢視VI−VI線で示す断面図である。図７(Ａ)，(Ｂ)は、案内部材２０を示す平面図および側面図である。
【００２２】
下レール５は、床３に固定されて上方に開口した断面略コ字形の第１レール部材５１と、この第１レール部材５１に係止されて上方に開口した断面略コ字形の第２レール部材５２とを備えて構成されている。この下レール５には、当該下レール５の長手方向に沿って断面下向き凸状かつ上方に開口された案内溝５４が形成されている。
第１レール部材５１の一対の内壁面には、第２レール部材５２を係止する係止片５１１と、スライド部２４を係止する突出片５１２とがそれぞれ一対で形成されている。一対の係止片５１１は、第１レール部材５１の内壁面略中間位置から内方（互いに近づく方向）に向かって延びるとともに、先端が下方に折れ曲がって形成されている。そして、第２レール部材５２は、下方に延びて係止片５１１に係止される一対の被係止片５２１を有して形成されている。また、一対の突出片５１２は、第１レール部材５１の内壁面上端部（案内溝５４の開口上端）から内方に向かって、互いに近づく方向に突出して形成されている。
【００２３】
案内溝５４は、第１レール部材５１の内壁面にて構成され互いに見込み方向に対向する一対のレール側面部である一対の第１レール側面部５４１と、第１レール部材５１の係止片５１１および第２レール部材５２の上面にて構成され一対の第１レール側面部５４１よりも内方（互いに近づく方向）に延びる一対の第１レール底面部５４２と、第２レール部材５２の内壁面にて構成され一対の第１レール底面部５４２よりも下方に延びかつ互いに対向する一対の第２レール側面部５４３と、第２レール部材５２のコ字形底面にて構成され一対の第２レール側面部５４３の下端部間に位置する第２レール底面部５４４とを有して形成されている。これらの第１レール底面部５４２と第２レール底面部５４４とで、一対のレール側面部の下端部間に位置するレール底面部が構成されている。また、一対の第１レール底面部５４２の上面である第２レール部材５２の上面には、下レール５の長手方向に沿って上方に突出した一対の突条５４５が形成されている。
【００２４】
案内部材２０のローラー部２３は、図５および図７に示すように、下レール５における第１レール底面部５４２の突条５４５に摺接支持されるローラー底面部２３１と、このローラー底面部２３１から下方に突出して第２レール側面部５４３間に挿入されるローラー突出部２３２とを有して、下向きに凸な段付き円盤状に形成されている。このローラー部２３は、軸部２２の下端部にローラー部２３自体の弾性を利用してスナップ式で嵌め込まれることで、軸部２２に対して回転可能に支持されている。また、軸部２２には、ローラー部２３を支持する位置よりも上側が切削された縮径部２２１と、この縮径部２２１の下側で切削されずに元の軸径を有した鍔部２２２とが形成されている。そして、鍔部２２２がローラー部２３の上面に当接することで、前記ばねの付勢力がローラー部２３に伝達されるようになっている。また、縮径部２２１には、スライド部２４が回動自在にかつ上下移動が規制された状態で係止されるようになっている。
【００２５】
案内部材２０のスライド部２４は、図４〜図７に示すように、下レール５の長手方向に沿った所定長さ寸法を有して形成され、下レール５の案内溝５４に側方から設置され、下レール５に沿ってスライド案内されるようになっている。このスライド部２４は、スライド本体部２４１と、このスライド本体部２４１から延びる一対の係合片部（係合部）２４２とを有して形成され、一対の係合片部２４２の弾性を利用して軸部２２の縮径部２２１を挟み込むことで軸部２２に回動自在に係合されるとともに、軸部２２と直交方向に引っ張ることで軸部２２から取り外せるようになっている。スライド本体部２４１は、案内溝５４に設置された状態において、第１レール側面部５４１に対向配置される一対のスライド側面部２４３と、第１レール底面部５４２に対向配置されるスライド底面部２４４と、係合片部２４２の反対側の当接面２４５とを有して形成されている。そして、スライド側面部２４３には、スライド方向に沿って形成されて突出片５１２を挿通させるスライド溝２４６が形成され、スライド底面部２４４には、上方に向かって凹んだ凹部２４７が形成されている。この凹部２４７には、規制部材２４８が配置され、この規制部材２４８には、スライド本体部２４１を貫通するビス２４９が螺合されており、ビス２４９を締め付けることで規制部材２４８が上方に移動し、突出片５１２の上面と対向するスライド溝２４６内面との間で突出片５１２を挟持してスライド部２４のスライド移動が規制できるようになっている。このような規制部材２４８によるスライド移動規制は、一対の障子１０のうちの一方の障子１０の縦框１３Ｂ（例えば、縦枠６側の縦框１３Ｂ）をスライド不能にして、他方の障子１０の縦框１３Ｂ側を開閉移動させる場合に用いる。
【００２６】
以上のスライド部２４では、図３に示すように障子１０を開放した際に、一対のスライド部２４の当接面２４５同士が当接し、この当接面２４５同士の当接によって障子１０の開放角度が規制されるようになっている。また、図８に示すように、下レール５の案内溝５４にスペーサ５５を取り付けてもよく、このようなスペーサ５５を取り付けた場合には、一対のスライド部２４の当接面２４５が各々スペーサ５５に当接するすることで、障子１０の開放角度が規制されるようになっている。従って、スペーサ５５の長さ寸法を適宜に設定することで、全開状態における一対の障子１０同士の交差角度が任意に設定でき、障子１０の幅寸法に応じて適切な交差角度に設定できるようになっている。
なお、スペーサ５５は、第１レール部材５１の一対の突出片５１２に係合する一対の取付片５５１を有しており、この一対の取付片５５１が弾性変形することで一対の突出片５１２に着脱自在に取付可能に構成されている。
具体的には、図９に示すように、スペーサ５５は、第１レール部材５１の一対の突出片５１２の上面間に架け渡される上面部５５２と、この上面部５５２の下面から下方に突出する一対の取付片５５１とを有して形成されている。そして、一対の取付片５５１は、それぞれ一対の斜面を有した山形の抜止部５５３を有して形成されており、突出片５１２に対してこの斜面を摺接させながら弾性変形することで、第１レール部材５１に対してスペーサ５５が着脱できるようになっている。また、スペーサ５５は、取付片５５１の一対の抜止部５５３の斜面のうち、上方に位置する斜面が突出片５１２の下面に当接することで、不用意に第１レール部材５１から抜け出ないように規制され、第１レール部材５１に取り付けられた状態で、下レール５の長手方向に沿ってスペーサ５５がスライド移動自在になっている。
また、障子１０に見込み方向からの力（面外の力）が作用した場合には、案内部材２０の軸部２２が側方かつ上方に抜け出そうとするが、軸部２２の鍔部２２２がスライド部２４の係合片部２４２下面に当接することで、軸部２２の抜け出し力がスライド部２４に伝達される。そして、スライド部２４のスライド溝２４６が下レール５の突出片５１２に係止されることで、スライド部２４が案内溝５４から外れずに軸部２２の抜け出し力に抵抗し、これによって障子１０が下レール５から外れないようになっている。
【００２７】
以上の案内部材２０の取付手順としては、先ず、床面材３Ａに固定する前の下レール５にスライド部２４を挿入しておくとともに、軸部２２の先端にローラー部２３を取り付けた固定部２１を障子１０の縦框１３Ｂ下端に固定しておく。次に、ローラー４Ｂを介して障子１０を上枠４に吊り下げ支持するとともに、ローラー部２３を下レール５の案内溝５４に挿入し、ローラー底面部２３１を第１レール底面部５４２の突条５４５に摺接支持させる。この状態で、スライド部２４をスライドさせて一対の係合片部２４２を軸部２２の縮径部２２１に押し付け、これらの係合片部２４２で縮径部２２１を挟み込むことで、スライド部２４を軸部２２に回動自在に係合させる。この後、必要に応じて一対のスライド部２４間の案内溝５４にスペーサ５５を取り付ける。
一方、障子１０を取り外す場合には、上述と逆の手順で先ず、軸部２２からスライド部２４を取り外しておき、その後、ローラー部２３を上方に押し上げて軸部２２を固定部２１内に没入させ、これによりローラー部２３を下レール５の案内溝５４から外せばよい。
【００２８】
このような本実施形態によれば、以下のような効果がある。
（１）すなわち、軸部２２に回転自在に取り付けたローラー部２３を介して障子１０からの鉛直力が下レール５に伝達され、この鉛直力を支持したローラー部２３が障子１０の開閉に伴って回転することで、ローラー部２３が下レール５に引っ掛かることなく円滑にスライド移動できる。そして、障子１０からの鉛直力をローラー部２３が支持しているので、スライド部２４が鉛直力を負担せず、スライド部２４と案内溝５４との摩擦抵抗を小さくすることができ、このスライド部２４によってスムーズに案内して障子１０の開閉移動を確実かつ円滑に実施することができる。
【００２９】
（２）また、下レール５に設けた突出片５１２にスライド溝２４６が係止され、スライド部２４の上方への移動が規制されているので、案内溝５４からのスライド部２４の抜け出しを防止することができ、障子１０に横力が作用した場合でも、案内部材２０の案内溝５４からの脱落を確実に防止することができる。
【００３０】
（３）また、第２レール部材５２の上面に設けた突条５４５にローラー部２３のローラー底面部２３１が摺接することで、ローラー部２３と案内溝５４との摺接面積を小さくして、摺接抵抗を低減させることができる。さらに、突条５４５にローラー部２３が摺接することで、障子１０の開閉に伴ってローラー部２３を回転させることができ、障子１０の開閉移動をさらに円滑にすることができる。
【００３１】
（４）また、軸部２２の縮径部２２１にスライド部２４の係合部２４２が係合され、係合部２４２の下面に軸部２２の鍔部２２２が当接することで、軸部２２に対するスライド部２４の上下移動を規制することができる。そして、障子１０に見込み方向の力が作用した際に、軸部２２を介してスライド部２４へ確実に力を伝達することができ、障子１０への横力に対する案内部材２０の抜け出し抵抗力を向上させることができる。
【００３２】
〔第２実施形態〕
以下、本発明の第２実施形態について図１０〜図１５に基づいて説明する。この第２実施形態は、下レールおよび案内部材の構成が前記第１実施形態と相違するもので、他の構成は第１実施形態と略同一である。
図１０は、第２実施形態の下レール７および案内部材３０を示す平面図である。図１１および図１２は、下レール７および案内部材３０を示す縦断面図であり、図１１は、図１０に矢視XI−XI線で示す断面図であり、図１２は、図１０に矢視XII−XII線で示す断面図である。図１３(Ａ)〜(Ｃ)は、案内部材３０を示す三面図であり、図１４は、案内部材３０のスライド部３４を示す斜視図である。図１５は、案内部材３０の動作を示す縦断面図である。
【００３３】
下レール７は、床３に固定されて上方に開口した断面略コ字形の第１レール部材７１と、この第１レール部材７１内部に設けられたスペーサ７２と、スペーサ７２上に係止されて上方に開口した断面略コ字形の第２レール部材７３とを備えて構成されている。この下レール７には、当該下レール７の長手方向に沿って断面下向き凸状かつ上方に開口された案内溝７４が形成されている。
案内溝７４は、第１レール部材７１の内壁面にて構成され互いに見込み方向に対向する一対の第１レール側面部７４１と、第２レール部材７３の上面にて構成され一対の第１レール側面部７４１よりも内方（互いに近づく方向）に延びる一対の第１レール底面部７４２と、第２レール部材７３の内壁面にて構成され一対の第１レール底面部７４２よりも下方に延びかつ互いに対向する一対の第２レール側面部７４３と、第２レール部材７３の底面にて構成され一対の第２レール側面部７４３の下端部間に位置する第２レール底面部７４４とを有して形成されている。また、一対の第１レール底面部７４２のうち、一方の上面には、下レール７の長手方向に沿って上方に突出した第１突条７４５が形成され、一対の第１レール底面部７４２の両方の上面には、下レール７の長手方向に沿って上方に突出した第２突条７４６が形成されている。
【００３４】
案内部材３０は、縦框１３Ｂの下端部に固定される図示しない固定部（図１の固定部２１と同様）と、この固定部に支持されて障子１０の下端縁から下方に突出した軸部３２と、この軸部３２に回転自在に取り付けられたローラー部３３と、軸部３２に回動自在に連結されたスライド部３４とを有して構成されている。この案内部材３０のローラー部３３は、下レール７における第１レール底面部７４２の第１突条７４５に摺接支持されるローラー底面部３３１と、このローラー底面部３３１から下方に突出して第２レール側面部７４３間に挿入されるローラー突出部３３２とを有して形成されている。
【００３５】
一方、スライド部３４は、スライド本体部３４１と、軸部３２に着脱自在に係合するとともにローラー部３３の上面に当接または近接してローラー部３３の上方への移動を規制する上方規制部（係合部）３４２と、ローラー部３３の側方に近接してローラー部３３の側方への移動を規制する一対の側方規制部３４３と、ローラー部３３の下方に近接してローラー部３３の下方への移動を規制する下方規制部３４４とを有して形成されている。側方規制部３４３および下方規制部３４４は、図９に示すように、スライド本体部３４１から突出して軸部３２の回転中心位置よりも延びて形成され、一対の側方規制部３４３は、軸部３２の回転中心を挟んで対向して位置している。また、下方規制部３４４の先端には、ローラー部３３のローラー突出部３３２側面に近接して位置する突起部３４４Ａが形成されている。
【００３６】
スライド部３４のスライド本体部３４１は、図１２〜図１４に示すように、下レール７の長手方向に沿った所定長さ寸法を有して断面下向き凸状に形成され、下レール７の案内溝７４に上方から設置され、下レール７に沿ってスライド案内されるようになっている。このスライド本体部３４１は、案内溝７４に設置された状態において、第１レール側面部７４１に対向配置される一対の第１スライド側面部３４５と、第１レール底面部７４２の第２突条７４６に摺接支持される一対の第１スライド底面部３４６と、第２レール側面部７４３に対向配置される一対の第２スライド側面部３４７と、第２レール底面部７４４の上側に対向配置される第２スライド底面部３４８とを有して形成されている。さらに、スライド本体部３４１における前記軸部３２と反対側側面は、当接面３４９とされており、前記第１実施形態のスライド部２４と同様に、障子１０の全開状態において一対のスライド本体部３４１の当接面３４９同士が当接するか、または前記第１実施形態のスペーサ５５と同様のスペーサと当接するようになっており、これによって障子１０の開放角度が規制されるようになっている。
【００３７】
また、スライド部３４において、スライド本体部３４１の第１スライド側面部３４５と側方規制部３４３の側面とは、面一に連続して形成され、第１スライド底面部３４６と側方規制部３４３の底面とは、面一に連続して形成されている。さらに、スライド本体部３４１の第２スライド側面部３４７と下方規制部３４４の側面とは、面一に連続して形成され、第２スライド底面部３４８と下方規制部３４４の底面とは、面一に連続して形成されている。
以上のようなスライド部３４は、上方規制部３４２に形成された略Ｃ字状の係合部の弾性によって軸部３２に係合させた状態で軸部３２回りに回動可能になっており、障子１０の開閉移動に伴って下レール７の案内溝７４内を摺動するとともに、スライド部３４に対して障子１０が回動できるようになっている。また、軸部３２およびローラー部３３をばねの付勢力に抗して上方に押し上げることで、スライド部３４も案内溝７４から上方に外れ、障子１０とともに下レール７から取り外すことができ、さらに、上方規制部３４２の係合部を軸部３２から外せばスライド部３４が交換できるようになっている。
【００３８】
次に、図１５に基づき、障子１０に下レール７の見込み方向（障子１０の面外方向）から力が作用した場合の案内部材３０の抵抗機構について説明する。
先ず、図１５に白抜き矢印で示すように図の右側から左側に向かう力が障子１０に作用すると、案内部材３０の軸部３２を介してスライド部３４に力が伝達され、スライド部３４が図の左側に押されるとともに反時計回りに回動される力が作用することとなる。このような力がスライド部３４に作用すると、一方（図１５の左側）の第１スライド側面部３４５が第１レール側面部７４１に当接するとともに、回動したスライド部３４における他方（図１５の右側）の第２スライド側面部３４７の下端部が第２レール側面部７４３に当接する。
【００３９】
以上のように、障子１０に下レール７の見込み方向（障子１０の面外方向）からの力が作用した場合には、その力がスライド部３４に伝達され、スライド部３４が見込み方向に押されつつ回動することによって、第１スライド側面部３４５と第１レール側面部７４１とが当接し、これと反対側の第２スライド側面部３４７下端部が第２レール側面部７４３に当接することで、スライド部３４が案内溝７４から抜けないようになっている。従って、案内部材３０によって下レール７の見込み方向からの力に抵抗することができ、障子１０下端部の下レール７からの脱落が防止できるようになっている。この際、第１スライド側面部３４５側の当接位置と第２スライド側面部３４７側の当接位置との水平距離Ｗおよび垂直距離Ｈの比（Ｈ／Ｗ）が大きい、つまり第１スライド側面部３４５側の当接位置から第２スライド側面部３４７側の当接位置までの俯角の角度が大きいほど、第２スライド側面部３４７下端部が第２レール側面部７４３に当接するまでのスライド部３４の回動角度が小さくでき、スライド部３４の案内溝７４からの抜け出し抵抗が大きくできるようになっている。
【００４０】
このような本実施形態によれば、前記（１）の効果に加えて以下のような効果がある。
（５）すなわち、下レール７の案内溝７４が断面下向き凸状に形成され、これに案内される案内部材３０のスライド部３４が断面下向き凸状に形成されているので、スライド部３４を案内溝７４から上方に引き抜くことで、障子１０を取り外す際にスライド部３４を含んだ案内部材３０全体を下レール７から取り外すことができ、スライド部３４の交換が容易になってメンテナンス性を向上させることができる。さらに、下レール７の案内溝７４が上方に開口して形成されているので、案内溝７４内に入ったゴミや埃が容易に取り出せることから、スライド部３４のスライド移動が阻害されることがなく障子１０の開閉移動が円滑に実施できるとともに、スライド部３４の破損も防止することができる。
【００４１】
（６）また、従来の案内具では、スライダが下レール内に挿入されていることから、スライダを下レールから取り外すことが困難であり、スライダ交換や清掃等のメンテナンス上の問題がある。一方、メンテナンスを考慮して溝部の上方を開口した構造にすると、深い溝が下レール上面に開口されることから、足の指等が引っ掛かりやすくなるなど、安全性の点で問題が生じるが、逆に溝の深さを浅くするとスライダが安定して溝内を走行できなくなるという問題もある。それに対して、本実施形態の案内溝７４では、その底面が第１レール底面部７４２および第２レール底面部７４４の二段で構成されているので、一段で構成する場合よりも第１レール底面部７４２までの深さ寸法を小さくすることができ、案内溝７４内への物品や足指の落ち込みが防止できる。さらに、スライド部３４が断面下向き凸状に形成されているので、一方の第１スライド側面部３４５と第１レール側面部７４１との当接位置から、他方の第２スライド側面部３４７下端位置までの俯角の角度が大きくなって、障子１０に面外方向の力が作用した場合のスライド部３４の抜け出し抵抗が大きくでき、下レール７からの障子１０の脱落が防止できる。
【００４２】
（７）また、一対の第１レール底面部７４２に設けた第２突条７４６にスライド部３４の第１スライド底面部３４６が摺接することで、スライド部３４と案内溝７４との摺接面積を小さくして、摺接抵抗を低減させることができる。また、第１レール底面部７４２の一方に設けた第１突条７４５に面材開閉時のローラー底面部３３１が摺接することで、ローラー部３３をスムーズに回転させることができ、ローラー部３３と案内溝７４との摺接抵抗を低減させることができる。従って、案内部材３０と下レール７との摺接抵抗を低減して障子１０の開閉移動をより円滑に実施することができる。
【００４３】
（８）スライド部３４に上方規制部３４２、側方規制部３４３および下方規制部３４４が形成され、これらでローラー部３３の上方、下方および側方を囲むことで、スライド部３４とローラー部３３との相対移動が規制され、障子１０に面外方向の力が作用した場合の軸部３２およびローラー部３３の傾斜をスライド部３４で拘束し、軸部３２およびローラー部３３からの力を案内溝５４に伝達することができる。さらに、スライド部３４の側方規制部３４３および下方規制部３４４が軸部３２の回転中心位置よりも延びて形成されているので、軸部３２およびローラー部３３の傾斜をより確実に規制することができる。また、障子１０の鉛直荷重を支持する軸部３２およびローラー部３３の回動中心位置に対向する位置までスライド部３４の側方規制部３４３を延ばして設けたことで、軸部３２やローラー部３３に対して下レール７の幅方向の力が作用した際に、側方規制部３４３でもその力を受けることができるため、ローラー部３３の傾斜をより確実に規制することができるとともに、係合部等の破損を防止することができる。
【００４４】
（９）また、スライド部３４の側方規制部３４３の側面および底面が、それぞれ第１スライド側面部３４５および第１スライド底面部３４６と面一に連続して形成され、下方規制部３４４の側面および底面が、それぞれ第２スライド側面部３４７および第２スライド底面部３４８と面一に連続して形成されているので、軸部３２およびローラー部３３の近傍に位置する側方規制部３４３および下方規制部３４４を、案内溝５４に摺動させたり横力作用時に当接させることにより、スライド部３４のスライドを安定させることができるとともに、抜け出しが確実に防止できる。
【００４５】
なお、本発明は、前記実施形態に限定されるものではなく、本発明の目的が達成できる他の構成等を含み、以下に示すような変形等も本発明に含まれる。
例えば、前記実施形態においては、折戸タイプの障子１０を例示したが、本発明の建具は折戸に限らず、レールに対してスライド開閉のみ可能で、回動開閉ができないタイプの建具であってもよい。
また、前記実施形態においては、二組み４枚の障子１０を有した折戸１を例示したが、本発明の建具は、一組みの障子を有した折戸であってもよく、また、三組み以上の障子の組み合わせを有した折戸であってもよい。
また、本発明の建具の用途としては、可動間仕切り、屋内の部屋や物入れ、浴室等の出入り口に設けられる戸の他、面材の下部に若干の隙間があっても使用上差し支えのない位置にて空間を仕切る用途に利用可能である。
【００４６】
また、前記実施形態では、一対の障子（面材）１０の両方における他方の側端縁である縦框１３Ｂ下端部に案内部材２０，３０が設けられ、一対の障子が左右いずれの側にも開閉可能に構成されていたが、これに限らず、一対の面材のうちいずれか片方の面材における他方の側端縁下端部に案内部材が設けられ、反対側の面材の下端部がスライド移動不能（回動可能）に下レールや床に支持されていてもよい。
また、前記第１実施形態では、別体で構成された第１レール部材５１と第２レール部材５２とで下レール５を構成したが、これらを一体成形して下レール５を形成してもよい。これと同様に、前記第２実施形態では、別体で構成された第１レール部材７１とスペーサ７２と第２レール部材７３とで下レール７を構成したが、これらを一体成形して下レール７を形成してもよい。
【００４７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４８】
【図１】本発明の第１実施形態に係る建具を示す縦断面図である。
【図２】前記建具の横断面図であり、面材の全閉状態を示す横断面図である。
【図３】前記建具の横断面図であり、面材の全開状態を示す横断面図である。
【図４】前記建具における下レールおよび案内部材を示す平面図である。
【図５】前記下レールおよび案内部材を示す縦断面図である。
【図６】前記下レールおよび案内部材を示す縦断面図である。
【図７】(Ａ)，(Ｂ)は、前記案内部材を示す平面図および側面図である。
【図８】前記第１実施形態に係る建具の変形例を示す斜視図である。
【図９】前記変形例における下レールを示す縦断面図である。
【図１０】第２実施形態に係る下レールおよび案内部材を示す平面図である。
【図１１】前記下レールおよび案内部材を示す縦断面図である。
【図１２】前記下レールおよび案内部材を示す縦断面図である。
【図１３】(Ａ)〜(Ｃ)は、前記案内部材のスライド部を示す三面図である。
【図１４】前記スライド部を示す斜視図である。
【図１５】前記案内部材の動作を示す縦断面図である。
【符号の説明】
【００４９】
５，７…下レール、１０…面材である障子、２０，３０…案内部材、２２，３２…軸部、３３…ローラー部、２４，３４…スライド部、５４，７４…案内溝、２２１…縮径部、２３１，３３１…ローラー底面部、２４２…係合片部（係合部）、２４６…スライド溝、２４８…規制部材、３４２…上方規制部（係合部）、３４５…第１スライド側面部、３４６…第１スライド底面部、３４７…第２スライド側面部、３４８…第２スライド底面部、５１２…突出片、５４１，７４１…第１レール側面部、５４２…第１レール底面部、５４３…第２レール側面部、５４４…第２レール底面部、５４５，７４５…突条。
【図１】
2008267098.tif 000003
【図２】
2008267098.tif 000004
【図３】
2008267098.tif 000005
【図４】
2008267098.tif 000006
【図５】
2008267098.tif 000007
【図６】
2008267098.tif 000008
【図７】
2008267098.tif 000009
【図８】
2008267098.tif 000010
【図９】
2008267098.tif 000011
【図１０】
2008267098.tif 000012
【図１１】
2008267098.tif 000013
【図１２】
2008267098.tif 000014
【図１３】
2008267098.tif 000015
【図１４】
2008267098.tif 000016
【図１５】
2008267098.tif 000017